(57)【要約】【課題】譜面台を片手で容易に立てることができるとともに、任意の角度で確実に支持することができるグランドピアノの譜面台支持装置を提供する。【解決手段】下端部を中心として回動自在の譜面台６を支持するためのグランドピアノの譜面台支持装置１であって、譜面台６の裏面に上端部が回動自在に取り付けられた支持部材１１と、譜面台６の下端部よりも後方に配置され、前後方向に延びる下台１３と、支持部材１１の下端部に回転自在に取り付けられ、下台１３の表面上を転動するローラ１２と、を備え、ローラ１２には、譜面台６の前方への回動に伴うローラ１２の転動を許容し、譜面台６の後方への回動に伴うローラ６の転動を阻止するワンウェイクラッチ機構が設けられている。【選択図】  図１
2005003717.tif 000002
【特許請求の範囲】
【請求項１】
下端部を中心として回動自在の譜面台を支持するためのグランドピアノの譜面台支持装置であって、
前記譜面台の裏面に上端部が回動自在に取り付けられた支持部材と、
前記譜面台の前記下端部よりも後方に配置され、前後方向に延びる下台と、
前記支持部材の下端部に回転自在に取り付けられ、前記下台の表面上を転動するローラと、を備え、
当該ローラには、前記譜面台の前方への回動に伴う前記ローラの転動を許容し、前記譜面台の後方への回動に伴う前記ローラの転動を阻止するワンウェイクラッチ機構が設けられていることを特徴とするグランドピアノの譜面台支持装置。
【請求項２】
前記ローラの外周部および前記下台の表面の少なくとも一方が、摩擦性を有する材料で構成されていることを特徴とする請求項１に記載のグランドピアノの譜面台支持装置。
【発明の詳細な説明】
【０００１】
【発明の属する技術分野】
本発明は、譜面台を支持するためのグランドピアノの譜面台支持装置に関する。
【０００２】
【従来の技術】
従来のこの種のグランドピアノの譜面台支持装置として、例えば特許文献１に開示されたものが知られている。図８に示すように、このグランドピアノの譜面台支持装置５１は、本持左右板５２，５２と、本持左右板５２，５２の前部間および後部間にそれぞれ固定された本持棹５３および後本持棹５４を備えている。この本持棹５３には、ラワン合板などからなる譜面台５５が、その下端部において、３つの蝶番５６を介して、回動自在に取り付けられている。また、ピアノ本体の側板（ともに図示せず）の左右には側左右板５７，５７が設けられており、側左右板５７，５７に本持左右板５２，５２がそれぞれ載せられている。
【０００３】
譜面台支持装置５１はさらに、鳥居６１および左右の本持元木６２、６２を備えている。鳥居６１は、逆門形のものであり、左右の脚６３，６３と、それらの下端部間に連結された横材６４で構成されている。各脚６３は、その上端部において、譜面台５５の裏面に、蝶番６５を介して回動自在に取り付けられている。他方、左右の本持元木６２，６２は、本持棹５３と後本持棹５４の間に固定されており、各本持元木６２の上面には、複数（この例では３個）の係止溝６６が前後方向に並ぶように形成されている。
【０００４】
この構成により、譜面台５５を立てる場合には、一方の手で譜面台５５を手前（前方）に引くとともに、他方の手で鳥居６１の横材６４を各本持元木６２の１つの係止溝６６に係止させる。これにより、譜面台５５は斜めの姿勢で保持される。また、横材６４を係止する係止溝６６を変えることによって、譜面台５５の角度が、複数段階（この例では３段階）に調整される。
【０００５】
【特許文献１】
特開２００２−２５８８３３号公報（第３頁、第１図）
【０００６】
【発明が解決しようとする課題】
上記の従来のグランドピアノの譜面台支持装置５１によれば、譜面台５５を立てる場合には、一方の手で譜面台５５を持ち、他方の手で鳥居６１を持つため、両手を使わなければならない。また、操作時における譜面台５５の後方への倒れを防止するためには、横材６４が係止溝６６に確実に係止されたことを確認した後に、譜面台５５から手を離すことが好ましいが、横材６４や係止溝６６が譜面台５５の裏面側にあるため、正面からは確認を行いにくく不便である。また、係止溝６６の数が限られているため、譜面台５５の角度を係止溝６６で設定される３段階以外の角度に設定することができず、譜面台５５を所望の任意の角度に設定できない。さらに、本持元木６２に、係止溝６６を形成するための加工や成形が必要であり、その分、製造コストが上昇するなどの欠点がある。
【０００７】
本発明は、上記課題を解決するためになされたものであり、譜面台を片手で容易に立てることができるとともに、任意の角度で確実に支持することができるグランドピアノの譜面台支持装置を提供することを目的とする。
【０００８】
【課題を解決するための手段】
この目的を達成するために、請求項１に係る発明は、下端部を中心として回動自在の譜面台を支持するためのグランドピアノの譜面台支持装置であって、譜面台の裏面に上端部が回動自在に取り付けられた支持部材と、譜面台の下端部よりも後方に配置され、前後方向に延びる下台と、支持部材の下端部に回転自在に取り付けられ、下台の表面上を転動するローラと、を備え、ローラには、譜面台の前方への回動に伴うローラの転動を許容し、譜面台の後方への回動に伴うローラの転動を阻止するワンウェイクラッチ機構が設けられていることを特徴とする。
【０００９】
このグランドピアノの譜面台支持装置によれば、譜面台の上部または側部を片手で持ち、譜面台を手前（前方）に引くことによって、譜面台が下端部を中心として前方に回動し、これに伴い、支持部材のローラが下台の表面上を前方に転動しながら、支持部材が上端部を中心として前方に回動する。このように、ローラを転動させながら譜面台を回動させるので、譜面台を片手で容易に立てることができる。また、譜面台が後方に回動する際には、ローラの転動がワンウェイクラッチ機構によって阻止されるので、支持部材が後方へ回動できなくなり、それに伴い、支持部材に支持された譜面台もまた後方へ回動できなくなる。したがって、譜面台が所望の角度になったときに手を離すことによって、譜面台を、後方への倒れを生じることなく、所望の任意の角度で保持することができる。
【００１０】
請求項２に係る発明は、請求項１に記載のグランドピアノの譜面台支持装置において、ローラの外周部および下台の表面の少なくとも一方が、摩擦性を有する材料で構成されていることを特徴とする。
【００１１】
この構成によれば、ローラの外周部および下台の表面の少なくとも一方が有する高い摩擦性によって、ローラが下台に対して滑りにくくなるので、支持部材を介して、譜面台をより確実に支持することができる。
【００１２】
【発明の実施の形態】
以下、本発明の好ましい実施形態を、図面を参照しながら、詳細に説明する。図１は、本発明の第１実施形態によるグランドピアノの譜面台支持装置および譜面台を示している。同図に示すように、この譜面台支持装置１は、従来と同様、本持左右板２，２と、本持左右板２，２の前部間および後部間にそれぞれ固定され、左右方向に延びる本持棹３および後本持棹４を備えている。また、ピアノ本体の側板（ともに図示せず）の左右には側左右板５，５が設けられており、側左右板５，５には本持左右板２，２がそれぞれ前後方向にスライド自在に載せられている。
【００１３】
譜面台６は、塗装したラワン合板などで構成され、その下端部において、３つの蝶番７を介して本持棹３の背面に回動自在に取り付けられている。
【００１４】
譜面台支持装置１はさらに、支持部材１１と、左右のローラ１２，１２と、左右の下台１３，１３を備えている。支持部材１１は、逆門形のものであり、左右の脚１４，１４と、これらの脚１４，１４の下端部間を連結する横材１５で構成されている。各脚１４は、その上端部において、譜面台６の裏面に、ばね蝶番１６を介して回動自在に取り付けられている。支持部材１１の高さは、譜面台５の高さの約半分であり、各脚１４は、譜面台６の裏面に、その上下方向の中央で、左右の側面よりもやや内側の位置に取り付けられている。また、ばね蝶番１６は、ばね１６ａを取り付けたものであり、支持部材１１を譜面台６の下端部側（図３（ｂ）のＡ方向）へ付勢するように設けられている。
【００１５】
図２に示すように、支持部材１１の左右の側面の下端部には、穴１７，１７がそれぞれ形成されており、これらの穴１７，１７に、ローラ１２，１２が、ローラ軸１８，１８を介して取り付けられている。各ローラ軸１８は、一端部が穴１７に差し込まれた状態で固定されており、他端部が支持部材１１の左右の側面の下端部から外方に突き出している。各ローラ１２は、貫通した軸孔１９を有するリング状のものであり、支持部材１１から突き出しているローラ軸１８に嵌め込まれている。また、各ローラ１２の外周面には、高摩擦性部材２０が巻かれており、この高摩擦性部材２０は、高い摩擦性を有する材料（例えばシリコンゴム、ウレタンゴムまたはネオプレンゴム）で構成されている。
【００１６】
また、ローラ１２は、ワンウェイクラッチ機構（図示せず）を内蔵した市販のものである。このワンウェイクラッチ機構は、ローラ軸１８に対するローラ１２の所定の一方向への回転を許容する一方、逆方向への回転を阻止するように構成されており、各ローラ１２は、ローラ軸１８に、図３（ｂ）のＢ方向には回転可能で、Ｃ方向には回転不能に取り付けられている。
【００１７】
左右の下台１３，１３は、図１に示すように、長方形の板状のものであり、本持棹３と後本持棹４の間に前後方向に延びるように設けられていて、それらの表面上を各ローラ１２が転動する。
【００１８】
上記の構成の譜面台支持装置１は、次のようにして用いられる。図３（ａ）の状態から、ピアノを演奏するために譜面台６を立てる場合には、譜面台６の上部または側部を片手で持ち、譜面台６を手前（前方）に引く。それにより、譜面台６が下端部の蝶番７を中心として前方に回動し、立てられる。この譜面台６の回動中、ローラ１２が下台１３の表面上を前方に転動しながら、支持部材１１が上端部のばね蝶番１６を中心として回動する（同図（ｂ）参照）。このように、ローラ１２を転動させながら譜面台６を手前に回動させるので、譜面台６を片手で容易に立てることができる。
【００１９】
次に、譜面台６が所望の角度に達したときに、譜面台６から手を離す（図３の（ｃ）参照）。これに伴い、譜面台６は重力によって後方へ回動しようとするが、その場合、ローラ１２のワンウェイクラッチ機構によって、ローラ１２の後方への転動が阻止されるので、支持部材１１が後方へ回動できなくなり、それに伴い、支持部材１１に支持された譜面台６もまた後方へ回動できなくなる。したがって、譜面台６を所望の角度で立てた後、手を離すことによって、譜面台６を、後方への倒れを生じることなく、所望の任意の角度で保持することができる。
【００２０】
また、ローラ１２の外周部に巻かれた高摩擦性部材２０によって、ローラ１２は下台１３に対して滑りにくくなるので、支持部材１１を介して、譜面台６をより確実に支持することができる。
【００２１】
また、譜面台６を立てる際、ばね蝶番１６のばね１６ａによって、支持部材１１が付勢され、ローラ１２が下台１３に押し付けられる。したがって、ローラ１２が下台１３の表面上を安定して転動するとともに、ワンウェイクラッチ機構によるローラ１２の後方への転動の阻止機能が確実に働かせることができ、それにより、譜面台６が後方に倒れるのを確実に防止することができる。
【００２２】
一方、ピアノの演奏後、譜面台６を後方へ折りたたむ場合には、一方の手で譜面台６の上部または側部を持ち、他方の手で支持部材１１を支えながら譜面台６を手前に少し引くことによって、ローラ１２が下台１３から離れ、ワンウェイクラッチ機構による係止が解除されるので、支持部材１１をばね１６ａの付勢力に抗して譜面台６の上端部側に回動させながら、譜面台６を後方へ回動させることによって、譜面台６を容易に折りたたむことができる。
【００２３】
図４および図５は、本発明の第２実施形態による譜面台支持装置３１を示している。これらの図において、第１実施形態と同じ構成の部分については、同じ符号を用いて示している。この譜面台支持装置３１は、第１実施形態と比較して、主として支持部材３２の構成が異なるものである。この支持部材３２は１本の棒状のものであり、その上端部は、第１実施形態と同様、譜面台６の裏面に、その上下方向かつ左右方向の中央の位置に、ばね蝶番１６を介して回動自在に取り付けられている。支持部材３２の下端部は、逆Ｔ字形に形成されており、その左右方向に延びるローラ軸３３の両端部に、一対のローラ１２，１２が取り付けられている。なお、このローラ１２は、第１実施形態で用いたのと同様に構成されており、ワンウェイクラッチ機構（図示せず）を有している。また、支持部材３２の下側には、各ローラ１２が転動する１枚の下台１３が設けられている。
【００２４】
以上の構成により、本発明の第２実施形態においても、前述した第１実施形態による効果を同様に得ることができる。これに加えて、支持部材３２が簡略化および小型化するとともに、下台１３の数が減少するので、その分、製造コストを減少させることができる。
【００２５】
図６および図７は、本発明の第３実施形態による譜面台支持装置４１を示している。これらの図において、第１実施形態と同じ構成の部分については、同じ符号を用いて示している。この譜面台支持装置４１は、第１実施形態と比較して、主としてローラおよび下台の構成が異なるものである。図７に示すように、本実施形態のローラ４２，４２には、その外周面に沿って、ピニオン４３，４３が形成されている。なお、このローラ４２は、第１実施形態と同様のワンウェイクラッチ機構（図示せず）を有している。一方、下台４４，４４の表面には、前後方向に延びるようにラック４５が形成されている。このラック４５にローラ４２のピニオン４３が噛み合っている。
【００２６】
以上の構成により、譜面台６を立てるために譜面台６を手前に回動させると、それに伴いローラ４２のピニオン４３が下台４４のラック４５に噛み合いながらローラ４２が下台４４の表面上を前方に転動する。そして、所望の角度で譜面台６から手を離すと、ワンウェイクラッチ機構によってローラ４２の後方への転動が阻止される。一方、譜面台６を後方へ折りたたむ場合には、第１実施形態と同様、支持部材１１を支えながら譜面台６を手前に少し引くことによって、ローラ４２を下台４４から離し、ラック４５とのピニオン４３の噛み合いを解除した状態で、支持部材１１を譜面台６の上端部側に回動させながら、譜面台６を後方へ回動させる。
【００２７】
したがって、本発明の第３実施形態においても、前述した第１実施形態による効果を同様に得ることができる。これに加えて、下台４４のラック４５とローラ４２のピニオン４３の噛み合いによって、支持部材１１の滑りを防止できるので、ワンウェイクラッチ機構の後方への転動の阻止機能と相まって、譜面台６をより確実に支持することができる。
【００２８】
なお、本発明は、説明した実施形態に限定されることなく、種々の態様で実施することができる。例えば、第１および第２実施形態では、高摩擦性部材２０をローラ１２の外周面に設けているが、これに代えて、またはこれとともに、高摩擦性部材２０を下台１３の表面に設けてもよい。この場合にも、ローラ１２は下台１３に対して滑りにくくなり、支持部材１１を介して、譜面台６をより確実に支持することができる。また、本実施形態では、譜面台６と支持部材１１の間にばね蝶番１６を設けているが、これに代えてばね１６ａを有していない通常の蝶番を用いてもよい。さらに、本実施形態では、支持部材に２つのローラを設けているが、３つ以上のローラを取り付けてもよい。また、ローラ１２または４２を取り付ける位置は、支持部材１１の左右の両側部に限らず、例えば横材１５の中央でもよい。
【００２９】
また、実施形態は、本発明をグランドピアノに適用した例であるが、本発明は、適当であれば、他のタイプのピアノ、例えばグランドピアノ型の電子ピアノにも適用することができる。その他、本発明の趣旨の範囲内で、細部の構成を適宜、変更することが可能である。
【００３０】
【発明の効果】
以上のように、本発明のグランドピアノの譜面台支持装置によれば、譜面台を片手で容易に立てることができるとともに、任意の角度で確実に支持することができるなどの効果を有する。
【図面の簡単な説明】
【図１】本発明の第１実施形態によるグランドピアノの譜面台支持装置を後方から見た斜視図である。
【図２】図１の譜面台支持装置を部分拡大した（ａ）正面図および（ｂ）側面図である。
【図３】図１の譜面台の（ａ）閉鎖状態、（ｂ）開放操作の途中の状態、および（ｃ）開放状態を示す側面図である。
【図４】本発明の第２実施形態によるグランドピアノの譜面台支持装置を後方から見た斜視図である。
【図５】図４の譜面台支持装置の部分拡大図である。
【図６】本発明の第３実施形態によるグランドピアノの譜面台支持装置を後方から見た斜視図である。
【図７】図６の譜面台支持装置を部分拡大した（ａ）正面図および（ｂ）側面図である。
【図８】従来の譜面台支持装置を後方から見た斜視図である。
【符号の説明】
１  譜面台支持装置
６  譜面台
１１  支持部材
１２  ローラ
１３  下台
２０  高摩擦性部材
【図１】
2005003717.tif 000003
【図２】
2005003717.tif 000004
【図３】
2005003717.tif 000005
【図４】
2005003717.tif 000006
【図５】
2005003717.tif 000007
【図６】
2005003717.tif 000008
【図７】
2005003717.tif 000009
【図８】
2005003717.tif 000010